(57)【要約】【課題】色割れ現象及び混色歪み現象を改善した高品位のＦＳＣ方式液晶表示装置とその駆動方法を提供する。【解決手段】本発明は、赤色、緑色、青色ソースデータ信号を用いて、赤色、緑色、青色変換データ信号と第１ないし３補償データ信号を生成する補償データ生成部と、フレーム周期内の第１ないし６サブフレーム周期それぞれに前記赤色、緑色、青色変換データ信号と前記第１ないし３補償データ信号の入力を受けて映像を表示する液晶パネルと、前記液晶パネルに、前記赤色、緑色、青色変換データ信号と前記第１ないし３補償データ信号それぞれに対応する光を供給するバックライトユニットを含む液晶表示装置を提供する。【選択図】図３
2007279660.tif 000002
【特許請求の範囲】
【請求項１】
赤色、緑色、青色ソースデータ信号を用いて、赤色、緑色、青色ソースデータ信号の輝度を変換した赤色、緑色、青色変換データ信号と前記赤色、緑色、青色の混色を示す補償データ信号を生成する補償データ生成部と、
フレーム周期内のサブフレーム周期それぞれに前記赤色、緑色、青色変換データ信号と前記補償データ信号の入力を受けて映像を表示する液晶パネルと、
前記液晶パネルに、前記赤色、緑色、青色変換データ信号と前記補償データ信号それぞれに対応する光を供給するバックライトユニットを含む液晶表示装置。
【請求項２】
前記補償データ信号は、黄色、青緑色、赤紫色、白色データ信号であることを特徴とする請求項１に記載の液晶表示装置。
【請求項３】
前記バックライトユニットは、赤色、緑色、青色光源と、前記赤色、緑色、青色光源の点灯を制御する点灯制御部とを含むことを特徴とする請求項２に記載の液晶表示装置。
【請求項４】
前記点灯制御部は、
前記赤色、緑色光源を同時点灯し、
前記緑色、青色光源を同時点灯し、
前記青色、赤色光源を同時点灯することを特徴とする請求項３に記載の液晶表示装置。
【請求項５】
前記赤色、緑色光源の同時点灯は、前記赤色光源の単独点灯と前記緑色光源の単独点灯間になされ、
前記緑色、青色光源の同時点灯は、前記緑色光源の単独点灯と前記青色光源の単独点灯間になされ、
前記青色、赤色光源の同時点灯は、前記青色光源の単独点灯と前記赤色光源の単独点灯間になされることを特徴とする請求項４に記載の液晶表示装置。
【請求項６】
前記サブフレームは、前記黄色、青緑色、赤紫色、白色データ信号をそれぞれ表示する白色ことを特徴とする請求項２に記載の液晶表示装置。
【請求項７】
前記点灯制御部は、
前記赤色、緑色、青色光源中２個の光源を同時点灯し、
前記赤色、緑色、青色光源全てを同時点灯することを特徴とする請求項３に記載の液晶表示装置。
【請求項８】
前記赤色、緑色、青色光源中２個の光源の同時点灯は、前記赤色、緑色、青色光源の単独点灯以後になされ、
前記赤色、緑色、青色光源の全ての同時点灯は、前記各項源の単独点灯と前記２個の光源の同時点灯の間になされることを特徴とする請求項７に記載の液晶表示装置。
【請求項９】
前記赤色、緑色、青色変換データ信号と前記補償データ信号を前記液晶パネルに出力するソース駆動部と、
前記液晶パネルにスキャン信号を出力するスキャン駆動部と、
前記ソース駆動部とスキャン駆動部の出力を制御して、前記補償データ生成部から前記赤色、緑色、青色変換データ信号と前記補償データ信号の入力を受けて前記ソース駆動部に伝達するタイミング制御部をさらに含むことを特徴とする請求項１に記載の液晶表示装置。
【請求項１０】
前記赤色、緑色、青色ソースデータ信号のうち最小赤緑青ソースデータ信号値を検出し、
前記赤色、緑色、青色ソースデータ信号から前記最小赤緑青ソースデータ信号値を減算して赤色、緑色、青色補償ソースデータ信号を生成し、
前記赤色、緑色補償ソースデータ信号のうち最小赤緑補償ソースデータ信号値を検出し、前記緑色、青色補償ソースデータ信号のうち最小緑青補償ソースデータ信号値を検出し、前記青色、赤色補償ソースデータ信号のうち最小青赤補償ソースデータ信号値を検出し、
前記補償データ信号は、前記最小赤緑青ソースデータ信号値と前記最小赤緑補償ソースデータ信号値を加算して生成された黄色補償データ信号と、前記最小赤緑青ソースデータ信号値と前記最小緑青補償ソースデータ信号値を加算して生成された青緑色補償データ信号と、前記最小赤緑青ソースデータ信号値と前記最小青赤補償ソースデータ信号値を加算して生成された赤紫色補償データ信号とを含むことを特徴とする請求項１に記載の液晶表示装置。
【請求項１１】
前記赤色、緑色、青色ソースデータ信号のうち最小赤緑青ソースデータ信号値を検出し、
前記赤色、緑色、青色ソースデータ信号から前記最小赤緑青ソースデータ信号値を減算して赤色、緑色、青色補償ソースデータ信号を生成し、
前記赤色、緑色補償ソースデータ信号のうち最小赤緑補償ソースデータ信号値を検出し、前記緑色、青色補償ソースデータ信号のうち最小緑青補償ソースデータ信号値を検出し、前記青色、赤色補償ソースデータ信号のうち最小青赤補償ソースデータ信号値を検出し、
前記赤色変換データは、前記赤色補償ソースデータ信号値から前記最小赤緑、緑青、青赤補償ソースデータ信号値を減算して生成され、前記緑変換データは、前記緑色補償ソースデータ信号値から前記最小赤緑、緑青、青赤補償ソースデータ信号値を減算して生成され、前記青色変換データは、前記青色補償ソースデータ信号値から前記最小赤緑、緑青、青赤補償ソースデータ信号値を減算して生成されることを特徴とする請求項１に記載の液晶表示装置。
【請求項１２】
前記赤色、緑色、青色ソースデータ信号のうち最小赤緑青ソースデータ信号値を検出して白色データ信号を生成し、
前記赤色、緑色、青色ソースデータ信号から前記最小赤緑青ソースデータ信号値を減算して赤色、緑色、青色補償ソースデータ信号を生成し、
前記補償データ信号は、前記白色データ信号と、前記赤色、緑色補償ソースデータ信号のうち最小赤緑補償ソースデータ信号値を検出して生成された黄色データ信号と、前記緑色、青色補償ソースデータ信号のうち最小緑青補償ソースデータ信号値を検出して生成された青緑色データ信号と、前記青色、赤色補償ソースデータ信号のうち最小青赤補償ソースデータ信号値を検出して生成された赤紫色データ信号を含むことを特徴とする請求項１に記載の液晶表示装置。
【請求項１３】
前記赤色変換データ信号は、前記赤色ソースデータ信号から前記白色データ信号と前記黄色、青緑色、赤紫色データ信号を減算して生成され、
前記緑色変換データ信号は、前記緑色ソースデータ信号から前記白色データ信号と前記黄色、青緑色、赤紫色データ信号を減算して生成され、
前記青色変換データ信号は、前記青色ソースデータ信号から前記白色データ信号と前記黄色、青緑色、赤紫色データ信号を減算して生成されることを特徴とする請求項１２に記載の液晶表示装置。
【請求項１４】
赤色、緑色、青色ソースデータ信号を用いて、前記赤色、緑色、青色ソースデータ信号の輝度を変換した赤色、緑色、青色変換データ信号と前記赤色、緑色、青色の混色を示す補償データ信号を生成する段階と、
フレーム周期内のサブフレーム周期それぞれに前記赤色、緑色、青色変換データ信号と前記補償データ信号を液晶パネルに出力する段階と、
前記液晶パネルに、前記赤色、緑色、青色変換データ信号と前記補償データ信号それぞれに対応する光を供給する段階を含むことを特徴とする液晶表示装置の駆動方法。
【請求項１５】
前記補償データ信号を生成する段階は、
前記赤色、緑色、青色ソースデータ信号のうち最小赤緑青ソースデータ信号値を検出する段階と、
前記赤色、緑色、青色ソースデータ信号から前記最小赤緑青ソースデータ信号値を減算して赤色、緑色、青色補償ソースデータ信号を生成する段階と、
前記赤色、緑色補償ソースデータ信号のうち最小赤緑補償ソースデータ信号値を検出し、前記緑色、青色補償ソースデータ信号のうち最小緑青補償ソースデータ信号値を検出し、前記青色、赤色補償ソースデータ信号のうち最小青赤補償ソースデータ信号値を検出する段階と、
前記最小赤緑青ソースデータ信号値と前記最小赤緑補償ソースデータ信号値を加算して前記黄色補償データ信号を生成し、前記最小赤緑青ソースデータ信号値と前記最小緑青補償ソースデータ信号値を加算して前記青緑補償データ信号を生成し、前記最小赤緑青ソースデータ信号値と前記最小青赤補償ソースデータ信号値を加算して前記赤紫補償データ信号を生成する段階を含むことを特徴とする請求項１４に記載の液晶表示装置の駆動方法。
【請求項１６】
前記赤色、緑色、青色変換データを生成する段階は、
前記赤色、緑色、青色ソースデータ信号のうち最小赤緑青ソースデータ信号値を検出する段階と、
前記赤色、緑色、青色ソースデータ信号から前記最小赤緑青ソースデータ信号値を減算して赤色、緑色、青色補償ソースデータ信号を生成する段階と、
前記赤色、緑色補償ソースデータ信号のうち最小赤緑補償ソースデータ信号値を検出し、前記緑色、青色補償ソースデータ信号のうち最小緑青補償ソースデータ信号値を検出し、前記青色、赤色補償ソースデータ信号のうち最小青赤補償ソースデータ信号値を検出する段階と、
前記赤色補償ソースデータ信号から前記最小赤緑、緑青、青赤補償ソースデータ信号値を減算して前記赤色変換データ信号を生成し、前記緑色補償ソースデータ信号から前記最小赤緑、緑青、青赤補償ソースデータ信号値を減算して前記緑色変換データ信号を生成し、前記青色補償ソースデータ信号から前記最小赤緑、緑青、青赤補償ソースデータ信号値を減算して前記青色変換データ信号を生成する段階を含むことを特徴とする請求項１４に記載の液晶表示装置の駆動方法。
【請求項１７】
前記液晶パネルに光を供給する段階は、
前記赤色、緑色、青色変換データ信号の入力に基づいて前記赤色、緑色、青色光源をそれぞれ単独点灯する段階と、
前記補償データ信号の入力に基づいて前記赤色、緑色光源を同時点灯する段階と、
前記緑色、青色光源を同時点灯する段階と、
前記青色、赤色光源を同時点灯する段階を含むことを特徴とする請求項１４に記載の液晶表示装置の駆動方法。
【請求項１８】
前記赤色光源の単独点灯と前記緑色光源の単独点灯との間に前記赤色、緑色光源を同時点灯し、
前記緑色光源の単独点灯と前記青色光源の単独点灯との間に前記緑色、青色光源を同時点灯し、
前記青色光源の単独点灯と前記赤色光源の単独点灯との間に前記青色、赤色光源を同時点灯することを特徴とする請求項１７に記載の液晶表示装置の駆動方法。
【請求項１９】
前記補償データ信号を生成する段階は、
前記赤色、緑色、青色ソースデータ信号のうち最小赤緑青ソースデータ信号値を検出して白色データ信号を生成する段階と、
前記赤色、緑色、青色ソースデータ信号から前記最小赤緑青ソースデータ信号値を減算して赤色、緑色、青色補償ソースデータ信号を生成する段階と、
前記赤色、緑色補償ソースデータ信号のうち最小赤緑補償ソースデータ信号値を検出して黄色データ信号を生成し、前記緑色、青色補償ソースデータ信号のうち最小緑青補償ソースデータ信号値を検出して青緑補償データ信号を生成し、前記青色、赤色補償ソースデータ信号のうち最小青赤補償ソースデータ信号値を検出して赤紫補償データ信号を生成する段階を含むことを特徴とする請求項１４に記載の液晶表示装置の駆動方法。
【請求項２０】
前記赤色、緑色、青色変換データを生成する段階は、
前記赤色ソースデータ信号から前記白色データ信号と前記黄色、青緑、赤紫データ信号を減算して前記赤色変換データ信号を生成する段階と、
前記緑色ソースデータ信号から前記白色データ信号と前記黄色、青緑、赤紫データ信号を減算して前記緑色変換データ信号を生成する段階と、
前記青色ソースデータ信号から前記白色データ信号と前記黄色、青緑、赤紫データ信号を減算して前記青色変換データ信号を生成する段階とを含むことを特徴とする請求項１９に記載の液晶表示装置の駆動方法。
【請求項２１】
前記液晶パネルに光を供給する段階は、
前記赤色、緑色、青色変換データ信号がそれぞれ入力されると赤色、緑色、青色光源を単独点灯する段階と、
前記白色データ信号が入力されると前記赤色、緑色、青色光源を同時点灯する段階と、
前記黄色データ信号が入力されると前記赤色、緑色光源を同時点灯する段階と、
前記青緑色データ信号が入力されると前記緑色、青色光源を同時点灯する段階と、
前記赤紫色データ信号が入力されると前記青色、赤色光源を同時点灯する段階を含むことを特徴とする請求項１９に記載の液晶表示装置の駆動方法。
【請求項２２】
前記赤色、緑色、青色光源の単独点灯以後に、前記赤色、緑色、青色光源のうち２個の光源を同時点灯し、
前記各光源の単独点灯と前記２光源の同時点灯間に、前記赤色、緑色、青色光源全てを同時点灯することを特徴とする請求項２１に記載の液晶表示装置の駆動方法。
【発明の詳細な説明】
【技術分野】
【０００１】
本発明は液晶表示装置とその駆動方法に係り、さらに詳細には色割れ現象と混色歪み現象を改善するフィールドシーケンシャルカラー方式液晶表示装置とその駆動方法に関する。
【背景技術】
【０００２】
液晶表示装置（Ｌｉｑｕｉｄ  Ｃｒｙｓｔａｌ  Ｄｉｓｐｌａｙ、以下‘ＬＣＤ’と言う）は、マトリックス状に配列された複数の画素と画素それぞれにおける液晶の回転角度を制御して光透過量を調節する映像データをスイッチングするためのＴＦＴ（薄膜トランジスタ）が具備された液晶パネルに、バックライトユニット（Ｂａｃｋ  ｌｉｇｈｔ  Ｕｎｉｔ）から供給される光を透過させて希望する画像を表示するようになる。
【０００３】
このようなバックライトユニットに使われる光源（ｌｉｇｈｔ  ｓｏｕｒｃｅ）としては、主に冷陰極蛍光ランプ（Ｃｏｌｄ  Ｃａｔｈｏｄｅ  Ｆｌｕｏｒｅｓｃｅｎｔ  Ｌａｍｐ、以下、‘ＣＣＦＬ’と言う）が使われる。液晶表示装置は、小型化、薄形化、軽量化の趨勢にあり、このような趨勢にに応じてＣＣＦＬの代わりに、消費電力、重量、輝度等で有利な発光ダイオード（Ｌｉｇｈｔ  Ｅｍｉｔｔｉｎｇ  Ｄｉｏｄｅ：以下‘ＬＥＤ’と言う）が提案されている。
【０００４】
このようなＬＥＤを用いるバックライトユニットに対しフィールドシーケンシャルカラー（Ｆｉｅｌｄ  Ｓｅｑｕｅｎｔｉａｌ  Ｃｏｌｏｒ：以下、ＦＳＣという）駆動方式を提案してさらに良い画質を得ている（例えば、非特許文献１〜３参照）。
【０００５】
ＦＳＣ駆動方式は、カラーを表示する際、カラーフィルター（ｃｏｌｏｒ  ｆｉｌｔｅｒ）を使わなく、三原色（赤色、緑色、青色）のＬＥＤを次に、順次駆動させることによって、人の目による残像効果を利用して混合したカラーを表示することができる駆動方法である。
【０００６】
さらに詳細に説明すれば、パネル上の一つのフレーム表示時間を赤、緑、青の３個の時間に分けて、時間上の間隔を置きながら次に、順次対応するＬＥＤを照射するようになる。
【０００７】
図１は、従来のＦＳＣ駆動方法を説明するための図面である。
【０００８】
ＦＳＣ駆動方式では、図１に示したように、一つのフレーム（６０Ｈｚ、１Ｆｒａｍｅ＝１６．７ｍｓ）を赤色（Ｒ）、緑色（Ｇ）、青色（Ｂ）の３個のサブフレーム（１Ｓｕｂ−ｆｒａｍｅ＝５．５６ｍｓ）に分離する。
【０００９】
各サブフレームは、ＴＦＴスキャンを介したデータ記入時間（ＤＷ＝１．６９ｍｓ）、データ記入による液晶応答時間（ＬＲ＝１．５ｍｓ）及びバックライト発光時間（ＢＬ＝２．３７ｍｓ）に区分され、実際に各色によるバックライトを点灯することができる時間ＢＬはデータ記入時間ＤＷと液晶応答時間ＬＲを除いた時間になる。
【００１０】
このようなＦＳＣ駆動に対して説明すると、液晶パネルにＲＧＢに対するデータ入力が各サブフレーム内で同じ比率で一回ずつ次に、順次発生して、これに対応する赤色（Ｒ）光源、緑色（Ｇ）光源、青色（Ｂ）光源が次に、順次点灯する。この時、各光源はＬＥＤまたは蛍光ランプであって、それぞれの赤色、緑色、青色光源は順次配列される。
【００１１】
ところが、赤色（Ｒ）、緑色（Ｇ）、青色（Ｂ）光源が順に隣接するように配列されて順に点灯される駆動を行えば、各光源から出射されたカラー光が人の眼球内部の網膜で認知される位置も若干ずつの間隔を置いて変わるようになる。これにより、赤色、緑色、青色が混合した白色光が認知されないでそれぞれの色相が非常に短い時間ではあるが別途に見える色割れ（ｃｏｌｏｒ  ｂｒｅａｋ−ｕｐ）現象が発生するようになる。これはユーザーの目の瞬間的な移動または動画表現時最も著しく現われる。
【００１２】
また、ＦＳＣ駆動は、液晶の遅延応答特性による混色歪み現象を誘発することになる。これに対しては、図２に示す液晶応答時間による光透過率のグラフを参照しながら説明する。
【００１３】
例えば、赤色（Ｒ）と緑色（Ｇ）を混合して黄色（Ｙｅｌｌｏｗ）を具現する場合に、緑（Ｇ）−カラーサブフレーム（区間Ｂ）は、前サブフレーム（すなわち、赤（Ｒ）カラーサブフレーム区間）における液晶応答以後のサブフレームであるため、赤（Ｒ）−カラーサブフレーム（区間Ａ）より相対的に液晶の応答がさらに迅速に現われる。これにより、緑色（Ｇ）が赤色（Ｒ）に比べて相対的に高い透過率を有するようになり、緑色に近い黄色でカラーが表示される。このように混色を具現する際に現われる歪み現象は、一般的に黄色（Ｙｅｌｌｏｗ）で最も甚だしく現われる。
【００１４】
【非特許文献１】Jang Jin Yoo et al., "Side Light Type Field Sequential Color LCD Using Divided Light Guide Plates", IDRC 03, pp. 180-183 (2003)
【非特許文献２】S. R. Lee et al., "Double Pulse Scan Method for Field Sequential Color Driving of an Optically Compensated Bend Cell", IDW/AD '05, pp. 1207-1208 (2005)
【非特許文献３】Fumiaki Yamada et al., "Invited Paper : Color Sequential LCD based on OCB with an LED Backlight", SID 00 DIGEST, pp. 1180-1183 (2000)
【発明の開示】
【発明が解決しようとする課題】
【００１５】
本発明は、上述した従来例に係る問題点に鑑みてなされたもので、色割れ現象及び混色歪み現象を改善した高品位のＦＳＣ方式液晶表示装置とその駆動方法を提供することを目的とする。
【課題を解決するための手段】
【００１６】
前記目的を達成するために、本発明に係る液晶表示装置は、赤色、緑色、青色ソースデータ信号を用いて、赤色、緑色、青色ソースデータ信号の輝度を変換した赤色、緑色、青色変換データ信号と前記赤色、緑色、青色の混色を示す補償データ信号を生成する補償データ生成部と、フレーム周期内のサブフレーム周期それぞれに前記赤色、緑色、青色変換データ信号と前記補償データ信号の入力を受けて映像を表示する液晶パネルと、前記液晶パネルに、前記赤色、緑色、青色変換データ信号と前記補償データ信号それぞれに対応する光を供給するバックライトユニットを含むことを特徴とする。
【００１７】
また、本発明に係る液晶表示装置の駆動方は、赤色、緑色、青色ソースデータ信号を用いて、前記赤色、緑色、青色ソースデータ信号の輝度を変換した赤色、緑色、青色変換データ信号と前記赤色、緑色、青色の混色を示す補償データ信号を生成する段階と、フレーム周期内のサブフレーム周期それぞれに前記赤色、緑色、青色変換データ信号と前記補償データ信号を液晶パネルに出力する段階と、前記液晶パネルに、前記赤色、緑色、青色変換データ信号と前記補償データ信号それぞれに対応する光を供給する段階を含むことを特徴とする。
【発明の効果】
【００１８】
本発明によれば、既存のＲＧＢカラーデータ信号だけで混色を表現した方式に比べてさらに多くのカラーを利用するので色割れ現象が減少されることはもちろんのこと、混色表現における歪み現象が改善され、また、純色を表現することにおいても色再現率が低減されない長所がある。さらに、白色（Ｗ）を表示するためのサブフレームをさらに追加する場合全体的に画面の輝度がさらに増加される長所がある。
【発明を実施するための最良の形態】
【００１９】
以下添付した図面を参照して本発明による実施の形態を説明する。
第１の実施の形態
【００２０】
図３は、本発明の第１の実施の形態によるＦＳＣ方式液晶表示装置１００の構成を示したブロック図である。
【００２１】
本発明の第１の実施の形態によるＦＳＣ方式液晶表示装置は、液晶の遅延応答による混色歪み特性を改善することと関連している。
【００２２】
図示された外部システム１は、ＴＶシステムまたはパーソナルコンピューター等であって、本発明によるＦＳＣ液晶表示装置１００にデータ信号（以下‘ＲＧＢソースデータ信号’と称する）を提供する映像データ提供源である。
【００２３】
補償データ生成部１１０は、外部システム１からデジタルデータフォーマットのＲＧＢソースデータ信号間の加減演算を実行して、データ信号値が変換されたＲＧＢ変換データ信号と、別途の第１ないし第３補償データ信号とを生成して出力する。
【００２４】
この時、前記ＲＧＢ変換データ信号は、赤色（Ｒ）、緑色（Ｇ）、青色（Ｂ）表示のためのデジタルデータフォーマットのデータ信号であり、第１ないし第３補償データ信号はそれぞれ黄色（Ｙｅｌｌｏｗ）、青緑色（ｃｙａｎ）、赤紫色（ｍａｇｅｎｔａ）表示のためのデジタルデータフォーマットのデータ信号である。
【００２５】
補償データ生成部１１０におけるＲＧＢ変換データ信号及び第１ないし第３補償データ信号の生成方法に対しては後述される駆動方法を介して詳細に説明する。
【００２６】
タイミング制御部１２０は、補償データ生成部１１０からＲＧＢ変換データ信号及び第１ないし第３補償データ信号の入力を受けてタイミングに合わせて後述するソース駆動部１４０に伝達する。また、図示しなかったが、タイミング制御部１２０は、外部システム１から垂直／水平同期信号（Ｖ／Ｈｓｙｎｃ  ｓｉｇｎａｌ）とクロック信号の入力を受けて後述するスキャン駆動部１３０及びソース駆動部１４０の動作を制御するための複数の制御信号を生成して出力する。また、補償データ生成部１１０は、タイミング制御部１２０に内蔵されても良い。
【００２７】
スキャン駆動部１３０は、タイミング制御部１２０から出力される制御信号によってスキャン信号を生成して、垂直同期信号（Ｖｓｙｎｃ）に合せて生成されたスキャン信号を出力する。
【００２８】
ソース駆動部１４０は、タイミング制御部１２０からＲＧＢ変換データ信号及び第１ないし第３補償データ信号の入力を受けてアナログフォーマットである電圧形態に変換して出力する。水平同期信号（Ｈｓｙｎｃ）に合せてＲＧＢ変換データ信号及び第１ないし第３補償データ信号のうち選択されたデータを出力する。
【００２９】
液晶パネル１５０には、薄膜トランジスタが形成された複数の画素がマトリックス状で構成されている。スキャン駆動部１３０から出力されたスキャン信号により薄膜トランジスタのスイッチングが制御されて、ソース駆動部１４０から出力されるＲＧＢ変換データ信号及び第１ないし第３補償データ信号が画素に入力される。
【００３０】
バックライトユニット１６０は、液晶パネル１５０に光を供給するもので、ＦＳＣ駆動のために、図４に示したように、赤色光源１６２、緑色光源１６４、青色光源１６６また、及び各光源１６２、１６４、１６６の点灯を制御する点灯制御部１６８を具備する。ここで、各光源１６２、１６４、１６６は、ＬＥＤまたは蛍光ランプである。点灯制御部１６８は、光源１６２、１６４、１６６の単独発光または混合発光の具現が可能なように、光源１６２、１６４、１６６を制御する。点灯制御部１６８としてインバータが用いられる。三つの光源１６２、１６４、１６６のうち少なくとも２個を同時点灯して混色が具現される。
【００３１】
前記のように構成される本発明第１の実施の形態によるＦＳＣ方式液晶表示装置は、液晶の遅延応答による混色の歪み現象を改善することができるようになるのに、混色を表示することができるカラーデータ信号を新しく生成してこれを液晶パネル１５０で別途に表示するようになることによって混色歪み現象を改善することができるようになる。
【００３２】
以下本発明の第１の実施の形態によるＦＳＣ方式液晶表示装置の動作を説明する。
【００３３】
まず、本発明第１の実施の形態によるＦＳＣ方式液晶表示装置の動作概要を図５を介して簡単に説明する。
【００３４】
外部システム１から入力されたＲＧＢソースデータ信号を利用して表示される混色を選択して、このような混色を表示するためのデータ信号を生成すると共にサブフレームを追加して液晶パネル１５０を介して映像を表示する。混色が別途に表示されることによってＲＧＢソースデータ信号では表示される混色に含まれたデータ信号の量だけデータ信号値を減らしてくれるようになる。このように生成されたデータ信号がＲＧＢ変換データ信号である。本発明第１の実施の形態では、混色として黄色（ｙｅｌｌｏｗ：以下、Ｙという）、青緑色（ｃｙａｎ：以下、Ｃという）、赤紫色（ｍａｇｅｎｔａ：以下、Ｍという）を例に挙げた。このような混色の選択は、特定カラーに対する混色特性をさらに改善するために、必要に応じて多様に変化することができる。
【００３５】
図５に示したように、混色を表示するための別途のサブフレームを挿入すれば、６０Ｈｚ駆動に１６．７ｍｓのフレーム周期を有する液晶表示装置の場合に、ＲＧＢ変換データ信号及び第１ないし第３補償データ信号により表示される各サブフレームは（１６．７／６）ｍｓ＝２．７８ｍｓの表示時間を有するようになる。この時、各サブフレームにおけるバックライト発光時間ＢＬは、データ記入時間ＤＷと液晶応答時間ＬＲを除いた時間であるので、２．７８ｍｓより短い時間になる。
【００３６】
図５では、ＲＧＢ変換データ信号と第１ないし第３補償データ信号の表示順序をＲ、Ｙ、Ｇ、Ｃ、Ｂ、Ｍカラー順で示したが、応用によって多様に配置可能である。
【００３７】
図６は、本発明の第１の実施の形態によるＦＳＣ方式液晶表示装置の動作を説明するためのフローチャートである。
【００３８】
図６に示したように、本発明の第１の実施の形態に従うＦＳＣ方式の液晶表示装置は、補償データ生成部（図３の１１０）がＲＧＢソースデータ信号からＲＧＢ変換データ信号及び第１ないし第３補償データ信号を生成する第１段階（Ｓ１０）、タイミング制御部（図３の１２０）が生成されたＲＧＢ変換データ信号及び第１ないし第３補償データ信号を液晶パネルに出力する第２段階（Ｓ２０）、バックライトユニット（図３の１６０）が、各データ信号が液晶パネルに入力されるごとに赤色、緑色、青色光源の単独または混合点灯を実行する第３段階（Ｓ３０）の過程を介して動作される。
【００３９】
ここで、本発明の第１の実施の形態で提示する駆動方法のうち第１段階（Ｓ１０）の過程をさらに詳細に説明する。
【００４０】
図３に示したように、外部システム１からＲＧＢソースデータ信号の入力を受けた補償データ生成部１１０は、Ｒ、Ｇ、Ｂソースデータ信号の加減演算を介してＲＧＢ変換データ信号及び第１ないし第３補償データ信号を生成する。
【００４１】
まず、第１ないし第３補償データ信号の生成方法を、図７ないし図９のフローチャートを参照しながら説明し、ＲＧＢ変換データ信号の生成方法を、図１０のフローチャートを参照して説明する。
【００４２】
図７は、第１補償データ信号の生成方法を説明するためのフローチャートであって、第１補償データ信号は、ＲＧ混色である黄色（Ｙ）を表示するためのデータ信号である。
【００４３】
補償データ生成部（図３の１１０）は、まず、ＲＧＢソースデータ信号のうち最小データ信号値を有するカラーを選択してそのカラーの最小データ信号値（以下、最小ＲＧＢソースデータ信号値と称す）を検出する（Ｓ１１ａ）。
【００４４】
検出された最小ＲＧＢソースデータ信号値をＲＧＢソースデータ信号それぞれから減算してＲＧＢ補償ソースデータ信号を生成する（Ｓ１１ｂ）。
【００４５】
生成されたＲＧＢ補償ソースデータ信号のうちＲＧ補償ソースデータ信号に対して最小データ信号値を有するカラーを選択して、そのカラーが有したデータ信号値（以下最小ＲＧ補償ソースデータ信号値）を検出する（Ｓ１１ｃ）。
【００４６】
以後、最小ＲＧＢソースデータ信号値と最小ＲＧ補償ソースデータ信号値を相互に加算して黄（Ｙ）カラー表示のための第１補償データ信号で設定する（Ｓ１１ｄ）。
【００４７】
次に、図８は、第２補償データ信号の生成方法を説明するためのフローチャートであって、第２補償データ信号は、ＧＢ混色である青緑色（Ｃ）を表示するためのデータ信号である。
【００４８】
補償データ生成部（図３の１１０）は、まず、ＲＧＢソースデータ信号のうち最小データ信号値を有するカラーを選択してそのカラーの最小データ信号値（すなわち最小ＲＧＢソースデータ信号値）を検出する（Ｓ１２ａ）。
【００４９】
検出された最小ＲＧＢソースデータ信号値だけＲＧＢソースデータ信号それぞれから減算してＲＧＢ補償ソースデータ信号を生成する（Ｓ１２ｂ）。
【００５０】
生成されたＲＧＢ補償ソースデータ信号のうちＧＢ補償ソースデータ信号に対して最小データ信号値を有するカラーを選択して、そのカラーが有したデータ信号値（以下最小ＧＢ補償ソースデータ信号値）を検出する（Ｓ１２ｃ）。
【００５１】
以後、最小ＲＧＢソースデータ信号値と最小ＧＢソースデータ信号値を相互に加算して青緑色（Ｃ）表示のための第２補償データ信号で設定する（Ｓ１２ｄ）。
【００５２】
次に、図９は、第３補償データ信号の生成方法を説明するためのフローチャートであって、第３補償データ信号は、ＢＲ混色である赤紫色（Ｍ）を表示するためのデータ信号である。
【００５３】
補償データ生成部（図３の１１０）は、まず、ＲＧＢソースデータのうち最小データ信号値を有するカラーを選択してそのカラーの最小データ信号値（すなわち最小ＲＧＢソースデータ信号値）を検出する（Ｓ１３ａ）。
【００５４】
検出された最小ＲＧＢソースデータ信号値だけＲＧＢソースデータ信号それぞれから減算してＲＧＢ補償ソースデータ信号を生成する（Ｓ１３ｂ）。
【００５５】
生成されたＲＧＢ補償ソースデータ信号のうちＢＲ補償ソースデータ信号に対して最小データ信号値を有するカラーを選択して、そのカラーが有したデータ信号値（以下最小ＢＲ補償ソースデータ信号値）を検出する（Ｓ１３ｃ）。
【００５６】
以後、最小ＲＧＢソースデータ信号値と最小ＢＲ補償ソースデータ信号値を相互に加算して赤紫色（Ｍ）表示のための第３補償データ信号で設定する（Ｓ１３ｄ）。
【００５７】
最後に、図１０は、補償データ生成部１１０におけるＲＧＢ変換データ信号生成方法を説明するためのフローチャートであって、ＲＧＢ変換データ信号は、第１ないし第３補償データ信号で表現される混色カラーであって、ＲＧＢそれぞれのカラーが重複するためその重複する量だけの輝度を減衰させて新しく生成したデータ信号である。
【００５８】
ＲＧＢ変換データ信号を生成するために、補償データ生成部（図３の１１０）は、まず、ＲＧＢソースデータ信号のうち最小データ信号値を有するカラーを選択してそのカラーの最小データ信号値（すなわち最小ＲＧＢソースデータ信号値）を検出する（Ｓ１４ａ）。
【００５９】
検出された最小ＲＧＢソースデータ信号値だけＲＧＢソースデータ信号それぞれから減算してＲＧＢ補償ソースデータ信号を生成する（Ｓ１４ｂ）。
【００６０】
以後、ＲＧＢ補償ソースデータ信号それぞれで最小ＲＧ補償ソースデータ信号値と最小ＧＢ補償ソースデータ信号値と最小ＢＲ補償ソースデータ信号値それぞれを全て合算したデータ信号値で減算してそのそれぞれの結果をＲＧＢ変換データ信号で用いる（Ｓ１４ｃ）。すなわち、ＲＧＢ変換データ信号それぞれは、
【００６１】
（１）Ｒ変換データ信号値＝{Ｒ補償ソースデータ信号値−（最小ＲＧ補償ソースデータ信号値＋最小ＧＢ補償ソースデータ信号値＋最小ＢＲ補償ソースデータ信号値）}であって、
【００６２】
（２）Ｇ変換データ信号値＝{Ｇ補償ソースデータ信号値−（最小ＲＧ補償ソースデータ信号値＋最小ＧＢ補償ソースデータ信号値＋最小ＢＲ補償ソースデータ信号値）}であって、
【００６３】
（３）Ｂ変換データ信号値＝{Ｂ補償ソースデータ信号値−（最小ＲＧ補償ソースデータ信号値＋最小ＧＢ補償ソースデータ信号値＋最小ＢＲ補償ソースデータ信号値）}になる。
【００６４】
前記説明したように、ＲＧＢソースデータ信号の加減演算を介してＲＧＢ変換データ信号と第１ないし第３補償データ信号を生成することは、各データ信号がデジタルコード化されているため、ｎ−ビットデジタルデータ信号間の加減演算を介して可能である。また、例えば、データ信号値が０である状態で７０のデータ信号値を減算することのように陰のデータ信号値が出る演算結果に対しては減算されるデータがないので結果は０で見なす。
【００６５】
前記のような方法を介して補償データ生成部１１０で生成したＲＧＢ変換データ信号と第１ないし第３補償データ信号は、図６の第２段階（Ｓ２０）で説明したように、液晶パネル（図３の１５０）に出力される。すなわち、ＲＧＢ変換データ信号と第１ないし第３補償データ信号はタイミング制御部（図３の１２０）に伝達される。タイミング制御部１２０は入力された同期信号とクロック信号を利用して複数の制御信号を生成してソース駆動部（図３の１４０）にＲＧＢ変換データ信号と第１ないし第３補償データ信号及び制御信号を出力し、スキャン駆動部（図３の１３０）では制御信号を出力してスキャン信号の出力を制御する。
【００６６】
ソース駆動部１４０は入力された各データ信号をデジタル−アナログ変換器（ＤＡＣ）と別途に生成されたガンマ基準電圧を利用してアナログ電圧に変換する。変換されたデータ信号は、スキャン信号に同期して液晶パネル１５０に出力される。
【００６７】
液晶パネル１５０にＲＧＢ変換データ信号と第１ないし第３補償データ信号が入力されると、図６の第３段階（Ｓ３０）で説明したように、バックライトユニット（図３の１６０）に具備されたそれぞれの光源が点灯される。以下各光源の点灯方法に対して説明する。
【００６８】
バックライトユニット１６０は、図４で図示したように、赤色、緑色、青色の光を出射する３種の光源１６２、１６４、１６６を含み、これを制御するための点灯制御部１６８を具備する。
【００６９】
バックライトユニット１６０は２個以上の光源を同時点灯させて混色光を出射することができる。点灯制御部１６８は混色を表示するためのデータ信号である第１ないし第３補償データ信号が入力されるサブフレームに混色光を出射するように各光源１６２、１６４、１６８の点灯を制御する。赤色、緑色、青色のように単色データ信号が入力されるサブフレームには入力データ信号のカラーに該当する一つの光源のみを点灯制御する。
【００７０】
したがって、図５に示したようにＲＧＢ変換データ信号と第１ないし第３補償データ信号が表示されるサブフレームの構成順序をＲ、Ｙ、Ｇ、Ｃ、Ｂ、Ｍカラー順にする場合、点灯制御部１６８は、１）赤光源単独発光、２）赤緑光源の同時発光、３）緑光源単独発光、４）緑青光源の同時発光、５）青光源単独発光、６）青赤光源の同時発光順に点灯されるように各光源１６２、１６４、１６６を制御する。
【００７１】
以下、前記のように説明した本発明の第１の実施の形態によるＦＳＣ方式液晶表示装置とその駆動をいくつの比較例を介して説明してその効果を説明する。
（比較例１）
【００７２】
図１１は、ＦＳＣ方式液晶表示装置を介して黄色（Ｙ）を具現することにおいて、（ａ）従来のＦＳＣ方式液晶表示装置におけるＲＧＢソースデータ信号のサブフレーム別透過率と、（ｂ）本発明第１の実施の形態によるＦＳＣ方式液晶表示装置を介して生成されたＲＧＢ変換データ信号及び第１ないし第３補償データ信号のサブフレーム別透過率を比較して示した図面である。
【００７３】
グラフ下段のカラー別数値は最高輝度を示すデータ信号値を１００に設定した場合各サブフレームに入力されるデータ信号が有するデータ信号値である。
【００７４】
図１１の（ａ）グラフを見れば黄色（Ｙ）を表示するために赤色（Ｒ）及び緑色（Ｇ）ソースデータ信号を信号値１００で入力したが液晶の遅延応答で緑色（Ｇ）の透過率がさらに高く出てくることを見ることができる。これにより黄色が表示されないで緑色に近い黄色で表示される混色歪み現象が発生する。
【００７５】
このような混色歪み現象が発生しないようにするために前述した本発明の第１の実施の形態の補償データ生成部（図３の１１０）を介して黄色（Ｙ）表示のための新しいデータ信号（すなわち、ＲＧＢ変換データ信号及び第１ないし第３補償データ信号）を生成すれば次のとおりである。
【００７６】
まず、ＲＧＢソースデータ信号はそれぞれＲ１＝１００、Ｇ１＝１００、Ｂ１＝０の信号値を有するので各変換データ信号と補償データ信号を生成するために要求される最小ＲＧＢソースデータ信号値は青色の０であって、これでＲＧＢ補償ソースデータ信号はそれぞれＲ２＝（１００−０）＝１００、Ｇ２＝（１００−０）＝１００、Ｂ２＝（０−０）＝０の信号値を有する。
【００７７】
第１補償データ信号である黄色（Ｙ）データ信号を生成することにおいて、ＲＧ補償ソースデータ信号（Ｒ２＝１００、Ｇ２＝１００）で最小ＲＧ補償ソースデータ信号値は１００（Ｒ２とＧ２＝１００であるので）である。したがって、第１補償データ信号である黄色（Ｙ）データ信号は最小ＲＧＢソースデータ信号値０と最小ＲＧ補償ソースデータ信号値１００を加えて１００のデータ信号値を有する。すなわち、Ｙ１＝１００である。
【００７８】
次に、第２補償データ信号である青緑色（Ｃ）データ信号を生成するために、ＧＢ補償ソースデータ信号（Ｇ２＝１００、Ｂ２＝０）で最小ＧＢデータ信号値は０（Ｂ２＝０であるので）である。したがって、第２補償データ信号である青緑色（Ｃ）データ信号は最小ＲＧＢソースデータ信号値０と最小ＧＢ補償ソースデータ信号値０を加えた０のデータ信号値を有する。すなわち、Ｃ１＝０である。
【００７９】
次に、第３補償データ信号である赤紫色（Ｍ）データ信号を生成するために、ＢＲ補償ソースデータ信号（Ｂ２＝０、Ｒ２＝１００）で最小ＢＲ補償ソースデータ信号値は０（Ｂ２＝０であるので）である。したがって、第３補償データ信号である赤紫色（Ｍ）データ信号は最小ＲＧＢソースデータ信号値０と最小ＢＲ補償ソースデータ信号値０を加えた０のデータ信号値を有する。すなわち、Ｍ１＝０である。
【００８０】
最後に、ＲＧＢ変換データ信号を求めれば、前述したように最小ＲＧＢソースデータ信号値は０であってＲＧＢ補償ソースデータ信号はそれぞれＲ２＝１００、Ｇ２＝１００、Ｂ２＝０の信号値を有する。ＲＧＢ補償ソースデータ信号それぞれで（最小ＲＧ補償ソースデータ信号値＋最小ＧＢ補償ソースデータ信号値＋最小ＢＲ補償ソースデータ信号値）＝（１００＋０＋０＝１００）である１００をそれぞれ減算すればＲ３＝０、Ｇ３＝０、Ｂ３＝０のデータ信号値を有するＲＧＢ変換データ信号が生成される。
【００８１】
したがって、補償データ生成部１１０を介して出力されるデータ信号は最終的にＲ３＝０、Ｙ１＝１００、Ｇ３＝０、Ｃ１＝０、Ｂ３＝０、Ｍ１＝０の信号値を有するようになって図１１の（ｂ）グラフに示したようにサブフレームが構成され、黄色（Ｙ）のみを表示することができるようになるので混色による歪みは発生しない。黄色（Ｙ）カラーが表示されるサブフレームでは点灯制御部（図４の１６８）により赤色及び緑色光源（図４の１６２及び１６４）が同時発光するように制御される。図示された間隔ＢＬはバックライト光源の点灯区間である。
（比較例２）
【００８２】
図１２はＦＳＣ方式液晶表示装置を介して赤色（Ｒ）を具現することにおいて、（ａ）従来技術のＦＳＣ方式液晶表示装置におけるＲＧＢソースデータ信号のサブフレーム別透過率と、（ｂ）本発明の第１の実施の形態によるＦＳＣ方式液晶表示装置を介して生成されたＲＧＢ変換データ信号及び第１ないし第３補償データ信号のサブフレーム別透過率を比較して示した図面である。
【００８３】
比較例１と同じくグラフ下段のカラー別数値は最高輝度を示すデータ信号値を１００に設定した場合各サブフレームで入力されるデータ信号が有するデータ信号値である。
【００８４】
図１２の（ａ）グラフを見れば赤色（Ｒ）を表示するために赤色（Ｒ）ソースデータ信号を信号値１００で入力した場合を示す。
【００８５】
本発明の第１の実施の形態の補償データ生成部（図３の１１０）を介して生成される新しいデータ信号（すなわちＲＧＢ変換データ信号及び第１ないし第３補償データ信号）は次のとおりである。
【００８６】
まず、ＲＧＢソースデータ信号はそれぞれＲ１＝１００、Ｇ１＝０、Ｂ１＝０であるので、各変換データ信号と補償データ信号を生成するために要求される最小ＲＧＢソースデータ信号値は青色または緑色の０である。これにより、ＲＧＢ補償ソースデータ信号はそれぞれＲ２＝（１００−０）＝１００、Ｇ２＝（０−０）＝０、Ｂ３＝（０−０）＝０である。
【００８７】
第１補償データ信号である黄色（Ｙ）データ信号を生成するために、ＲＧ補償ソースデータ（Ｒ２＝１００、Ｇ２＝０）で最小ＲＧ補償ソースデータ信号値は０（Ｇ２＝０であるので）である。したがって、第１補償データ信号である黄色（Ｙ）データ信号は最小ＲＧＢソースデータ信号値０と最小ＲＧ補償ソースデータ信号値０を加えて０のデータ信号値を有する。すなわち、Ｙ１＝０である。
【００８８】
次に、第２補償データ信号である青緑色（Ｃ）データ信号を生成することにおいて、ＧＢ補償ソースデータ信号（Ｇ２＝０、Ｂ２＝０）で最小ＧＢ最小データ信号値は０（Ｇ’＝Ｂ’＝０であるので）である。したがって、第２補償データ信号である青緑色（Ｃ）データ信号は最小ＲＧＢソースデータ信号値０と最小ＧＢ補償ソースデータ信号値０を加えた０のデータ信号値を有する。すなわち、Ｃ１＝０である。
【００８９】
次に、第３補償データ信号である赤紫色（Ｍ）データ信号を生成することにおいて、ＢＲ補償ソースデータ信号（Ｂ２＝０、Ｒ２＝１００）で最小ＢＲ最小データ信号値は０（Ｂ’＝０であるので）である。したがって、第３補償データ信号である赤紫色（Ｍ）データ信号は最小ＲＧＢソースデータ信号値０と最小ＢＲ補償ソースデータ信号値０を加えた０のデータ信号値を有する。すなわち、Ｍ１＝０である。
【００９０】
最後に、ＲＧＢ変換データ信号を求めることにおいて、前述したように最小ＲＧＢソースデータ信号値は０であってＲＧＢ補償ソースデータ信号はそれぞれＲ２＝１００、Ｇ２＝０、Ｂ２＝０である。ＲＧＢ補償ソースデータ信号それぞれで（最小ＲＧ補償ソースデータ信号値＋最小ＧＢ補償ソースデータ信号値＋最小ＢＲ補償ソースデータ信号値）＝（０＋０＋０）＝０をそれぞれ減算すればＲ３＝１００、Ｇ３＝０、Ｂ３＝０であってＲＧＢ変換データ信号が生成される。
【００９１】
したがって、補償データ生成部１１０を介して出力されるデータ信号は最終的にＲ３＝１００、Ｙ１＝０、Ｇ３＝０、Ｃ１＝０、Ｂ３＝０、Ｍ１＝０になって、図１２の（ｂ）グラフに示したようにサブフレームが構成され、従来技術と同じく赤色（Ｒ）のみを表示するようになる。赤色（Ｒ）が表示されるサブフレームでは点灯制御部（図４の１６８）により赤色光源（図４の１６２）が発光するように制御される。図示された間隔ＢＬはバックライト光源の点灯区間である。
（比較例３）
【００９２】
図１３はＦＳＣ方式液晶表示装置を介して白色（Ｗｈｉｔｅ）を具現することにおいて、（ａ）従来のＦＳＣ方式液晶表示装置におけるＲＧＢソースデータ信号のサブフレーム別透過率と、（ｂ）本発明の第１の実施の形態によるＦＳＣ方式液晶表示装置を介して生成されたＲＧＢ変換データ信号及び第１ないし第３補償データ信号のサブフレーム別透過率を比較して示した図面である。
【００９３】
同様にグラフ下段のカラー別数値は最高輝度を示すデータ信号値を１００に設定した場合各サブフレームで入力されるデータ信号が有するデータ信号値である。
【００９４】
図１３の（ａ）グラフを見れば白色（Ｗ）を表示するために赤色（Ｒ）、緑色（Ｇ）、青色（Ｂ）ソースデータ信号を全て信号値１００で入力したことを見られる。
【００９５】
本発明の第１の実施の形態の補償データ生成部（図３の１１０）を介して白色（Ｗ）表示のための新しいデータ信号（すなわちＲＧＢ変換データ信号及び第１ないし第３補償データ信号）を生成すれば次のとおりである。
【００９６】
まず、ＲＧＢソースデータ信号はそれぞれＲ１＝１００、Ｇ１＝１００、Ｂ１＝１００であるので各変換データ信号と補償データ信号を生成するために要求されるＲＧＢ最小データ信号値は１００であって、ＲＧＢ補償ソースデータ信号はそれぞれＲ２＝（１００−１００）＝０、Ｇ２＝（１００−１００）＝０、Ｂ２＝（１００−１００）＝０である。
【００９７】
第１補償データ信号である黄色（Ｙ）データ信号を生成することにおいて、ＲＧ補償ソースデータ信号（Ｒ２＝０、Ｇ２＝０）で最小ＲＧ補償ソースデータ信号値は０（Ｒ２とＧ２＝０であるので）である。したがって、第１補償データ信号である黄色（Ｙ）データ信号は最小ＲＧＢソースデータ信号値１００と最小ＲＧ補償ソースデータ信号値０を加えて１００のデータ信号値を有する。すなわち、Ｙ１＝１００である。
【００９８】
次に、第２補償データ信号である青録（Ｃ）カラー用データ信号を生成することにおいて、ＧＢ補償ソースデータ（Ｇ２＝０、Ｂ２＝０）で最小ＧＢ補償ソースデータ信号値は０（Ｇ２＝Ｂ２＝０であるので）である。したがって、第２補償データ信号である青緑色（Ｃ）データ信号は最小ＲＧＢソースデータ信号値１００と最小ＧＢ補償ソースデータ信号値０を加えた１００のデータ信号値を有する。すなわち、Ｃ１＝１００である。
【００９９】
次に、第３補償データ信号である赤紫色（Ｍ）データ信号を生成することにおいて、ＢＲ補償ソースデータ信号（Ｂ２＝０、Ｒ２＝０）で最小ＢＲ補償ソースデータ信号値は０（Ｂ２＝Ｒ２＝０であるので）である。したがって、第３補償データ信号である赤紫色（Ｍ）データ信号は最小ＲＧＢソースデータ信号値１００と最小ＢＲ補償ソースデータ信号値０を加えた１００のデータ信号を有する。すなわち、Ｍ１＝１００である。
【０１００】
最後に、ＲＧＢ変換データ信号を求めることにおいて、前述したように最小ＲＧＢソースデータ信号値は１００であってＲＧＢ補償ソースデータ信号はそれぞれＲ２＝０、Ｇ２＝０、Ｂ２＝０である。ＲＧＢ補償ソースデータそれぞれで（最小ＲＧ補償ソースデータ信号値＋最小ＧＢ補償ソースデータ信号値＋最小ＢＲ補償ソースデータ信号値）＝（０＋０＋０）＝０をそれぞれ減算すればＲ２＝０、Ｇ２＝０、Ｂ２＝０であってＲＧＢ変換データ信号が生成される。
【０１０１】
したがって、補償データ生成部１１０を介して出力されるデータ信号は最終的にＲ３＝０、Ｙ１＝１００、Ｇ３＝０、Ｃ１＝１００、Ｂ３＝０、Ｍ１＝１００になって図１３の（ｂ）グラフに示したようにサブフレームが構成され、黄色（Ｙ）、青緑色（Ｃ）、赤紫色（Ｍ）を混合して白色（Ｗ）を表示するようになる。黄色（Ｙ）、青緑色（Ｃ）、赤紫色（Ｍ）が表示される各サブフレームでは点灯制御部（図４の１６８）により赤色及び緑色光源（図４の１６２及び１６４）が同時発光して、緑色及び青色光源が同時発光（図４の１６４及び１６８）されて、青色及び赤色光源の同時発光（図４の１６８及び１６２）される順で点灯制御される。図示された間隔ＢＬはバックライト光源の点灯区間である。
（比較例４）
【０１０２】
図１４は、ＦＳＣ方式液晶表示装置を介して任意のカラーを具現することにおいて、（ａ）従来のＦＳＣ方式液晶表示装置におけるＲＧＢソースデータのサブフレーム別透過率と、（ｂ）本発明第１の実施の形態によるＦＳＣ方式液晶表示装置を介して生成されたＲＧＢ変換データ信号及び第１ないし第３補償データ信号のサブフレーム別透過率を比較して示した図面である。
【０１０３】
グラフ下段のカラー別数値は最高輝度を示すデータ信号値を１００に設定した場合各サブフレームで入力されるデータ信号が有するデータ信号値である。
【０１０４】
図１４の（ａ）グラフを見れば任意のカラーを表示するために赤色（Ｒ）、緑色（Ｇ）、青色（Ｒ）ソースデータ信号はそれぞれＲ１＝１００、Ｇ１＝６０、Ｂ１＝２０の信号値を有して入力される。
【０１０５】
これで本発明第１の実施の形態による補償データ生成部（図３の１１０）を介して（ａ）グラフで表現する任意のカラーを表示するための新しいデータ信号（すなわちＲＧＢ変換データ信号及び第１ないし第３補償データ信号）を生成すれば次のとおりである。
【０１０６】
まず、ＲＧＢソースデータ信号はそれぞれＲ１＝１００、Ｇ１＝６０、Ｂ１＝２０であるので各変換データ信号と補償データ信号を生成するために要求される最小ＲＧＢソースデータ信号値は青色の２０であって、これでＲＧＢ補償ソースデータ信号はそれぞれＲ２＝（１００−２０）＝８０、Ｇ２＝（６０−２０）＝４０、Ｂ２＝（２０−２０）＝０である。
【０１０７】
第１補償データ信号である黄色（Ｙ）データ信号を生成することにおいて、ＲＧ補償ソースデータ信号（Ｒ２＝８０、Ｇ２＝４０）で最小ＲＧ補償ソースデータ信号値は４０（Ｇ２＝４０であるので）である。したがって、第１補償データ信号である黄色（Ｙ）データ信号は最小ＲＧＢソースデータ信号値２０と最小ＲＧ補償ソースデータ信号値４０を加えて６０のデータ信号値を有する。すなわち、Ｙ１＝６０である。
【０１０８】
次に、第２補償データ信号である青緑色（Ｃ）データ信号を生成することにおいて、ＧＢ補償ソースデータ信号（Ｇ２＝４０、Ｂ２＝０）で最小ＧＢ補償ソースデータ信号値は０（Ｂ２＝０であるので）である。したがって、第２補償データ信号である青緑色（Ｃ）データ信号は最小ＲＧＢソースデータ信号値２０と最小ＧＢ補償ソースデータ信号値０を加えた２０のデータ信号値を有する。すなわち、Ｃ１＝２０である。
【０１０９】
次に、第３補償データ信号である赤紫色（Ｍ）データ信号を生成することにおいて、ＢＲ補償ソースデータ信号（Ｂ２＝０、Ｒ２＝８０）で最小ＢＲ補償ソースデータ信号値は０（Ｂ２＝０であるので）である。したがって、第３補償データ信号である赤紫色（Ｍ）データ信号は最小ＲＧＢソースデータ信号値２０と最小ＢＲ補償ソースデータ信号値０を加えた２０のデータ信号値を有する。すなわち、Ｍ１＝２０である。
【０１１０】
最後に、ＲＧＢ変換データ信号を求めることにおいて、前述したように最小ＲＧＢソースデータ信号値は２０であってＲＧＢ補償ソースデータ信号はそれぞれＲ２’＝８０、Ｇ２’＝４０、Ｂ２’＝０である。ＲＧＢ補償ソースデータ信号それぞれで（最小ＲＧ補償ソースデータ信号値＋最小ＧＢ補償ソースデータ信号値＋最小ＢＲ補償ソースデータ信号値）＝（４０＋０＋０）＝４０をそれぞれ減算すればＲ３＝４０、Ｇ３＝０、Ｂ３＝０であるＲＧＢ変換データ信号が生成される。
【０１１１】
したがって、補償データ生成部１１０を介して出力されるデータ信号は最終的にＲ３＝４０、Ｙ１＝６０、Ｇ３＝０、Ｃ１＝２０、Ｂ３＝０、Ｍ１＝２０になって、図１４の（ｂ）グラフに示したようにサブフレームが構成され、（ａ）グラフと同じカラーを表示することができるようになる。各サブフレームでは点灯制御部（図４の１６８）により、赤色、緑色、青色光源（図４の１６２、１６４、１６６）が単独及び２光源の同時発光で該サブフレームが表現するカラーの光を発光するように制御される。図示された間隔ＢＬはバックライト光源の点灯区間である。
【０１１２】
前記のように説明した本発明の第１の実施の形態によるＦＳＣ方式液晶表示装置とその駆動方法を適用する場合、既存のＲＧＢデータ信号だけで混色を表現した方式に比べてさらに多くのカラーを利用するようになる。したがって、色割れ現象が減少されて混色表現における歪み現象が改善される。また、純色を表現することにおいても色再現率が低減されなくなる。共に、白色（Ｗ）を含んだ混色の表現時には２個の光源が同時発光する黄色（Ｙ）、青緑色（Ｃ）、赤紫色（Ｍ）データ信号を利用するようになるので輝度が増加される長所がある。
【０１１３】
第２の実施の形態
本発明第２の実施の形態によるＦＳＣ方式液晶表示装置は前述した本発明第１の実施の形態によるＦＳＣ方式液晶表示装置（図３の１００）とその構成が同じであり、色割れ（ｃｏｌｏｒ  ｂｒｅａｋｕｐ）現象を改善するために補償データ生成部（図３の１１０）の機能に白色データ信号を生成する機能がさらに追加される。
【０１１４】
すなわち、図１５に簡略に示したように本発明第２の実施の形態によるＦＳＣ液晶表示装置の補償データ生成部１７０は外部システム１から入力されたＲＧＢソースデータ信号を利用してＲＧＢ変換データ信号、第１ないし第３補償データ信号及び白色データ信号を生成することを特徴とする。
【０１１５】
図１５の補償データ生成部１７０を除いた本発明第２の実施の形態によるＦＳＣ方式液晶表示装置２００の構成は図３に提示された本発明第１の実施の形態のＦＳＣ方式液晶表示装置と同じであるので、以下図１５に提示された補償データ生成部１７０を除いた構成は図３を参考にして説明する。したがって、本発明第２の実施の形態で提案する補償データ生成部１７０を除いた残り構成（タイミング制御部、ソース駆動部、スキャン駆動部、液晶パネル、バックライトユニット等）とその構成の機能は別途に説明しない。
【０１１６】
説明すれば、図１５に図示された外部システム１はＴＶシステムまたはパーソナルコンピューター等であって本発明によるＦＳＣ方式液晶表示装置１００にＲＧＢソースデータを最初に提供するデータ信号提供源である。
【０１１７】
また、本発明の第２の実施の形態で提案する補償データ生成部１７０は外部システム１からデジタルデータフォーマットのＲＧＢソースデータ信号の入力を受けて、各Ｒ、Ｇ、Ｂソースデータ間の加減演算を遂行してＲＧＢ変換データ信号と別途の第１ないし第３補償データ信号及び白色データ信号を生成して出力する。この時ＲＧＢ変換データ信号は赤（Ｒ）、緑（Ｇ）、青（Ｂ）カラーの表示のためのデジタルデータフォーマットである。第１ないし第３補償データ信号はそれぞれ黄色（Ｙｅｌｌｏｗ）、青緑色（ｃｙａｎ）、赤紫色（ｍａｇｅｎｔａ）表示のためのデジタルデータフォーマットのデータ信号であって、白色データ信号は白色（Ｗｈｉｔｅ）表示のためのデジタルデータフォーマットのデータ信号である。
【０１１８】
前記のような構成と特徴を有する本発明第２の実施の形態によるＦＳＣ方式液晶表示装置は、ＲＧＢカラーだけで表現するＦＳＣ駆動における色割れ現象を改善することができる。白色を含んだ混色を表示することができるカラーデータ信号を新しく生成してこれを液晶パネル（図３の１５０）で別途に表示してくれることによって輝度向上と共に色割れ現象を改善することができる。
【０１１９】
以下本発明の第２の実施の形態で提案するＦＳＣ方式液晶表示装置の動作と補償データ生成部１７０におけるＲＧＢ変換データ信号生成及び第１ないし第３補償データ信号生成方法に対して詳細に説明する。
【０１２０】
まず、本発明第２の実施の形態によるＦＳＣ方式液晶表示装置の動作概要を図１６を介して簡単に説明すると、外部システム１から入力されたＲＧＢソースデータ信号を利用して表示される混色を選択して、このような混色を表示するためのデータ信号を生成すると共にサブフレーム（ｓｕｂ−ｆｒａｍｅ）を別途に追加して液晶パネル（図３の１５０）に表示する。もちろん、混色が別途のサブフレームを有して表示されることによって前記ＲＧＢソースデータ信号では表示される混色に含まれたカラーのデータ信号量だけデータ信号値を減らしてくれなければならなく、このように生成されたデータ信号がＲＧＢ変換データ信号である。ここに本発明第２の実施の形態で選択した混色は黄色（Ｙ）、青緑色（Ｃ）、赤紫色（Ｍ）、白色（Ｗ）であり、このような混色の選択は特定カラーに対する混色特性をさらに改善するための必要により多様に変化することができる。
【０１２１】
したがって、図１６に示したように、混色を表示するための別途のサブフレームを挿入すれば、例えば６０Ｈｚ駆動時１６．７ｍｓのフレーム周期を有する液晶表示装置の場合、ＲＧＢ変換データ信号及び第１ないし第３補償データ信号と白色データ信号により表示される各サブフレームは（１６．７／７）ｍｓ＝約２．３８ｍｓの表示時間を有するようになる。この時各サブフレームにおけるバックライト発光時間ＢＬはデータ記入時間ＤＷと液晶応答時間ＬＲを除いた時間であるので２．３８ｍｓより短い時間になる。
【０１２２】
また、図１６ではＲＧＢ変換データ信号と第１ないし第３補償データ信号及び白色データ信号の表示順序をＲ、Ｇ、Ｂ、Ｗ、Ｙ、Ｃ、Ｍカラー順で示したが応用によって多様に配置可能である。
【０１２３】
図１７は、本発明の第２の実施の形態によるＦＳＣ方式液晶表示装置の動作を説明するためのフローチャートであって、ＲＧＢソースデータ信号からＲＧＢ変換データ信号と白色データ信号及び第１ないし第３補償データ信号を生成する第１段階（Ｓ１１０）、生成されたＲＧＢ変換データ信号と白色データ信号及び第１ないし第３補償データ信号を液晶パネルに出力する第２段階（Ｓ１２０）、各データ信号が液晶パネルに入力される時ごとに赤色、緑色、青色光源の単独または混合点灯を遂行する第３段階（Ｓ１３０）の過程を介して動作される。
【０１２４】
ここで、本発明の第２の実施の形態で提示する第１段階（Ｓ１１０）の過程をさらに詳細に説明する。
【０１２５】
図１５に示したように、外部システム１からＲＧＢソースデータ信号の入力を受けた補償データ生成部１７０はＲ、Ｇ、Ｂソースデータ信号の加減演算を介してＲＧＢ変換データ信号と白色データ信号及び第１ないし第３補償データ信号を生成するようになる。先に第１ないし第３補償データ信号の生成方法を白色データ信号生成方法と並行して図１８ないし図２０のフローチャートをそれぞれ参照しながら説明して次に、ＲＧＢ変換データ信号の生成方法を説明する。
【０１２６】
図１８は、第１補償データ信号の生成方法を説明するためのフローチャートであって、第１補償データ信号はＲＧ混色である黄色（Ｙ）を表示するためのデータ信号である。
【０１２７】
第１補償データ信号を生成するために、補償データ生成部（図１５の１７０）は、まず、ＲＧＢソースデータ信号のうち最小データ信号値を有するカラーを選択してそのカラーの最小データ信号値（最小ＲＧＢソースデータ信号値）を検出する（Ｓ１１１ａ）。
【０１２８】
この時、最小ＲＧＢソースデータ信号値が本発明の第２の実施の形態からは白色データ信号で使われる。言い換えるとＲＧＢソースデータのうち最小データ信号値を有するカラーのデータ信号値が白色データ信号のデータ信号値で使われる。
【０１２９】
検出された最小データ信号値をＲＧＢソースデータ信号それぞれから減算してＲＧＢ補償ソースデータ信号を生成する（Ｓ１１１ｂ）。
【０１３０】
生成されたＲＧＢ補償ソースデータのうちＲＧ補償ソースデータに対して最小データ信号値を有するカラーを選択して、そのカラーが有したデータ信号値（最小ＲＧ補償ソースデータ値）を検出して第１補償データ信号で設定する（Ｓ１１１ｃ）。
【０１３１】
次に、図１９は、第２補償データ信号の生成方法を説明するためのフローチャートであって、第２補償データ信号はＧＢ混色である青緑色（Ｃ）を表示するためのデータ信号である。
【０１３２】
第２補償データ信号を生成するために、補償データ生成部（図１５の１７０）は、まず、ＲＧＢソースデータ信号のうち最小データ信号値を有するカラーを選択してそのカラーの最小データ信号値（最小ＲＧＢソースデータ信号値）を検出する（Ｓ１１２ａ）。
【０１３３】
検出された最小ＲＧＢソースデータ信号値だけＲＧＢソースデータ信号それぞれから減算してＲＧＢ補償ソースデータを生成する（Ｓ１１２ｂ）。
【０１３４】
生成されたＲＧＢ補償ソースデータ信号のうちＧＢ補償ソースデータ信号に対して最小データ信号値を有するカラーを選択して、そのカラーが有したデータ信号値（最小ＧＢ補償ソースデータ信号値）を検出して第２補償データ信号で設定する（Ｓ１１２ｃ）。
【０１３５】
次に、図２０は、第３補償データ信号の生成方法を説明するためのフローチャートであって、第３補償データ信号はＢＲ混色である赤紫色（Ｍ）を表示するためのデータ信号である。
【０１３６】
まず、ＲＧＢソースデータ信号のうち最小データ信号値を有するカラーを選択してそのカラーの最小データ信号値（最小ＲＧＢソースデータ信号値）を検出する（Ｓ１１３ａ）。
【０１３７】
検出された最小ＲＧＢソースデータ信号値だけＲＧＢソースデータ信号それぞれから減算してＲＧＢ補償ソースデータ信号を生成する（Ｓ１１３ｂ）。
【０１３８】
生成されたＲＧＢ補償ソースデータ信号のうちＢＲ補償ソースデータ信号に対して最小データ信号値を有するカラーを選択して、そのカラーが有したデータ信号値（最小ＢＲ補償ソースデータ信号値）を検出して第３補償データ信号で設定する（Ｓ１１３ｃ）。
【０１３９】
最後に、補償データ生成部１７０におけるＲＧＢ変換データ信号生成方法を説明すると次のとおりである。ＲＧＢ変換データ信号は第１ないし第３補償データ信号と白色データ信号で表現される混色データ信号でＲＧＢそれぞれのカラーが重複するためその重複する量だけの輝度を減衰させて新しく生成したデータ信号である。
【０１４０】
ＲＧＢ変換データ信号の生成方法は、ＲＧＢソースデータ信号で最小ＲＧＢソースデータ信号値で定義された白色データ信号のデータ信号値と第１ないし第３補償データ信号の各データ信号値を全て合算しただけそれぞれ減算して求める。すなわち、白色データ信号のデータ信号値をａ、第１ないし第３補償データ信号のデータ信号値をそれぞれｂ、ｃ、ｄといえばＲＧＢ変換データ信号値Ｒ３、Ｇ３、Ｂ３はそれぞれＲ３＝{Ｒソースデータ信号値−（ａ＋ｂ＋ｃ＋ｄ）}、Ｇ３＝{Ｇソースデータ信号値−（ａ＋ｂ＋ｃ＋ｄ）}、Ｂ３＝{Ｂソースデータ信号値−（ａ＋ｂ＋ｃ＋ｄ）}になることである。前記のようなデータ信号生成方法において、データ信号量が０である状態で７０のデータ信号値を減算することのように陰のデータ信号値が出る演算結果に対しては減算されるデータ信号値がないので減算結果は０で見なす。
【０１４１】
前記説明したようにＲＧＢソースデータ信号の加減演算を介してＲＧＢ変換データ信号と白色データ信号及び第１ないし第３補償データ信号を生成する方法は、各データ信号がデジタルコード化されているためｎ−ビットデジタルデータ信号間の加減演算を介して可能である。
【０１４２】
前記のような方法を介して補償データ生成部１７０で生成したＲＧＢ変換データ信号と白色データ信号及び第１ないし第３補償データ信号は、図１７の第２段階（Ｓ１２０）で説明したように液晶パネル（図３の１５０）に出力されて、第３段階（Ｓ１３０）で説明したようにバックライトユニット（図３の１６０）に具備されたそれぞれの光源が点灯されるが、第２段階（Ｓ１２０）と第３段階（Ｓ１３０）の説明は図６の第２段階（Ｓ２０）と第３段階（Ｓ３０）を説明した本発明第１の実施の形態の場合と同じであるので詳細な説明を重複して説明しない。
【０１４３】
バックライトユニット（図３の１６０）は赤色、緑色、青色光源（それぞれ図４の１６２、１６４、１６６）のうち一つ以上の光源を同時点灯させて混色光を出射することができるが、バックライトユニット１６０の点灯制御部（図４の１６８）は赤色、緑色、青色単色光の単独発光と赤緑光源の同時発光、緑青光源の同時発光、青赤光源の同時発光だけでなく白色データ信号が入力されるサブフレームでは赤緑青光源の同時発光を遂行するようになる。
【０１４４】
以下、前記のように説明した本発明の第２の実施の形態によるＦＳＣ方式液晶表示装置とその駆動をいくつの比較例を介して説明してその効果を説明する。
（比較例１）
【０１４５】
図２１は、ＦＳＣ方式液晶表示装置を介して任意のカラーを具現することにおいて、（ａ）従来のＦＳＣ方式液晶表示装置におけるＲＧＢソースデータ信号のサブフレーム別透過率と、（ｂ）本発明の第２の実施の形態によるＦＳＣ方式液晶表示装置を介して生成されたＲＧＢ変換データ信号と白色データ信号及び第１ないし第３補償データ信号のサブフレーム別透過率を比較して示した図面である。
【０１４６】
グラフ下段のカラー別数値は最高輝度を示すデータ信号値を１００に設定した場合各サブフレームに入力されるデータ信号が有するデータ信号値である。
【０１４７】
図２１の（ａ）グラフを見れば、任意のカラーを表示するための赤色（Ｒ）、緑色（Ｇ）、青色（Ｂ）データ信号がそれぞれＲ１＝１００、Ｇ１＝７０、Ｂ１＝３０の信号値を有して入力されたことを見られる。
【０１４８】
本発明の第２の実施の形態の補償データ生成部（図１５の１７０）を介して同じカラーを液晶パネルに表示するための新しいデータ信号（すなわちＲＧＢ変換データ信号と白色データ信号及び第１ないし第３補償データ信号）を生成すれば次のとおりである。
【０１４９】
まず、ＲＧＢソースデータ信号はそれぞれＲ１＝１００、Ｇ１＝７０、Ｂ１＝３０であるので白色データ信号と補償データ信号を生成するために要求される最小ＲＧＢソースデータ値は青色の３０であって、これで白色データ信号とＲＧＢ補償ソースデータ信号はそれぞれＷ１＝３０、Ｒ２＝（１００−３０）＝７０、Ｇ２＝（７０−３０）＝４０、Ｂ２＝（３０−３０）＝０である。
【０１５０】
これで第１補償データ信号である黄色（Ｙ）データ信号を生成することにおいて、ＲＧ補償ソースデータ信号（Ｒ２＝７０、Ｇ２＝４０）で最小ＲＧ補償ソースデータ信号値は４０（Ｇ２＝４０であるので）である。したがって、第１補償データ信号である黄色（Ｙ）データ信号は４０のデータ信号値を有する。すなわち、Ｙ１＝４０である。
【０１５１】
次に、第２補償データ信号である青緑色（Ｃ）データ信号を生成することにおいて、ＧＢ補償ソースデータ信号（Ｇ２＝４０、Ｂ２＝０）で最小ＧＢ補償ソースデータ信号値は０（Ｂ２＝０であるので）である。したがって、第２補償データ信号である青緑色（Ｃ）データ信号は０のデータ信号値を有する。すなわち、Ｃ１＝０である。
【０１５２】
次に、第３補償データ信号である赤紫色（Ｍ）データ信号を生成するために、ＢＲ補償ソースデータ信号（Ｂ２＝０、Ｒ２＝７０）で最小ＢＲ補償ソースデータ信号値は０（Ｂ２＝０であるので）である。したがって、第３補償データ信号である赤紫色（Ｍ）データ信号は０のデータ信号値を有する。すなわち、Ｍ１＝０である。
【０１５３】
最後に、ＲＧＢ変換データ信号を求めれば、前述したようにＲＧＢソースデータ信号それぞれはＲ１＝１００、Ｇ１＝７０、Ｂ１＝３０である。そして（白色データ信号値＋第１補償データ信号値＋第２補償データ信号値＋第３補償データ信号値）＝（３０＋４０＋０＋０）＝７０である。各ＲＧＢソースデータ信号から７０を減算すれば、ＲＧＢ変換データ信号はそれぞれＲ３＝３０、Ｇ３＝０、Ｂ３＝０に生成される。
【０１５４】
したがって、補償データ生成部１７０を介して出力されるデータ信号は最終的にＲ３＝３０、Ｇ３＝０、Ｂ３＝０、Ｗ１＝３０、Ｙ１＝４０、Ｃ１＝０、Ｍ１＝０になって図２１の（ｂ）グラフに示したようにサブフレームが構成され、（ａ）グラフと同じカラーを表示すると同時に混色であるＷ、Ｙ、Ｃ、Ｍカラーを追加してカラーを表現することによってＲＧＢカラーによる色割れ現象が改善される長所と白色カラー挿入による輝度増大の効果がある。
【０１５５】
この時、カラーが表示される各サブフレームでは点灯制御部（図４の１６８）により赤色、緑色、青色の光源が単独でまたは２光源の同時点灯または赤緑青光源の同時点灯を介して該カラー光が出射されるように制御される。図示された間隔ＢＬはバックライト光源の点灯区間である。
（比較例２）
【０１５６】
図２２は、ＦＳＣ方式液晶表示装置を介して白色を具現することにおいて、（ａ）従来のＦＳＣ方式液晶表示装置におけるＲＧＢソースデータ信号のサブフレーム別透過率と、（ｂ）本発明第２の実施の形態によるＦＳＣ液晶表示装置を介して生成されたＲＧＢ変換データ信号と白色データ信号及び第１ないし第３補償データ信号のサブフレーム別透過率を比較して示した第２応用例時の図面である。
【０１５７】
グラフ下段のカラー別数値は最高輝度を示すデータ信号値を１００に設定した場合各サブフレームに入力されるデータ信号が有するデータ信号値である。
【０１５８】
図２２の（ａ）グラフを見れば、白色（Ｗ）を表示するために赤色（Ｒ）、緑色（Ｇ）、青色（Ｂ）ソースデータ信号がそれぞれＲ１＝１００、Ｇ１＝１００、Ｂ１＝１００で入力されたことを見られる。
【０１５９】
これで本発明の第２の実施の形態の補償データ生成部（図１５の１７０）を介して同じ白色（Ｗ）を液晶パネルに表示するための新しいデータ信号（すなわちＲＧＢ変換データ信号と白色データ信号及び第１ないし第３補償データ信号）を生成すれば次のとおりである。
【０１６０】
まず、ＲＧＢソースデータ信号はそれぞれＲ１＝１００、Ｇ１＝１００、Ｂ１＝１００であるので白色データ信号と補償データ信号を生成するために要求される最小ＲＧＢソースデータ信号値は１００であって、これで白色データ信号とＲＧＢ補償ソースデータ信号はそれぞれＷ１＝１００、Ｒ２＝（１００−１００）＝０、Ｇ２＝（１００−１００）＝０、Ｂ２＝（１００−１００）＝０である。
【０１６１】
これで第１補償データ信号である黄色（Ｙ）データ信号を生成することにおいて、ＲＧ補償ソースデータ信号（Ｒ２＝０、Ｇ２＝０）で最小ＲＧ補償ソースデータ信号値は０（Ｒ２＝Ｇ２＝０であるので）である。したがって、第１補償データ信号である黄色（Ｙ）データ信号は０のデータ信号値を有する。すなわち、Ｙ１＝０である。
【０１６２】
次に、第２補償データ信号である青緑色（Ｃ）データ信号を生成することにおいて、ＧＢ補償ソースデータ（Ｇ２＝０、Ｂ２＝０）で最小ＧＢ補償ソースデータ信号値は０（Ｇ２＝Ｂ２＝０であるので）である。したがって、第２補償データ信号である青緑色（Ｃ）データ信号は０のデータ信号値を有する。すなわち、Ｃ１＝０である。
【０１６３】
次に、第３補償データ信号である赤紫色（Ｍ）データ信号を生成することにおいて、ＢＲ補償ソースデータ（Ｂ２＝０、Ｒ２＝０）で最小ＢＲ補償ソースデータ信号値は０（Ｂ２＝Ｒ２＝０であるので）である。したがって、第３補償データ信号である赤紫色（Ｍ）データ信号は０のデータ信号値を有する。すなわち、Ｍ１＝０である。
【０１６４】
最後に、ＲＧＢ変換データ信号を求めれば、前述したようにＲＧＢソースデータ信号それぞれはＲ１＝１００、Ｇ１＝１００、Ｂ１＝１００である。そして（白色データ信号＋第１補償データ信号＋第２補償データ信号＋第３補償データ信号）＝（１００＋０＋０＋０）＝１００である。これで各ＲＧＢソースデータ信号で１００を減算すれば、ＲＧＢ変換データ信号はそれぞれＲ３＝０、Ｇ３＝０、Ｂ３＝０に生成される。
【０１６５】
したがって、補償データ生成部１７０を介して出力されるデータ信号は最終的にＲ３＝０、Ｇ３＝０、Ｂ３＝０、Ｗ１＝１００、Ｙ１＝０、Ｃ１＝０、Ｍ１＝０になって図２２の（ｂ）グラフに示したようにサブフレームが構成され、（ａ）グラフと同じ白色（Ｗ）カラーを表示すると同時に混色であるＷ、Ｙ、Ｃ、Ｍカラーを追加してカラーを表現することによってＲＧＢカラーによる色割れ現象が改善される長所と白色カラー挿入による輝度増大の効果がある。
【０１６６】
各サブフレームでは点灯制御部（図４の１６８）により赤色、緑色、青色の光源が単独でまたは２光源の同時点灯または赤緑青光源の同時点灯を介して該カラー光が出射されるように制御される。図示された間隔ＢＬはバックライト光源の点灯区間である。
（比較例３）
【０１６７】
図２３は、ＦＳＣ方式液晶表示装置を介して黄色を具現することにおいて、（ａ）従来のＦＳＣ方式液晶表示装置におけるＲＧＢソースデータ信号のサブフレーム別透過率と、（ｂ）本発明の第２の実施の形態によるＦＳＣ方式液晶表示装置を介して生成されたＲＧＢ変換データ信号と白色データ信号及び第１ないし第３補償データ信号のサブフレーム別透過率を比較して示した図面である。
【０１６８】
グラフ下段のカラー別数値は最高輝度を示すデータ信号値を１００に設定した場合各サブフレームに入力されるデータ信号が有するデータ信号値である。
【０１６９】
図２３の（ａ）グラフを見れば、黄色（Ｙ）を表示するために赤色（Ｒ）、緑色（Ｇ）、青色（Ｂ）ソースデータ信号がそれぞれＲ１＝１００、Ｇ１＝１００、Ｂ１＝０で入力されたことを見られる。
【０１７０】
本発明の第２の実施の形態の補償データ生成部（図１５の１７０）を介して同じ黄色（Ｙ）を液晶パネルに表示するための新しいデータ信号（すなわちＲＧＢ変換データ信号と白色データ信号及び第１ないし第３補償データ信号）を生成すれば次のとおりである。
【０１７１】
まず、ＲＧＢソースデータ信号はそれぞれＲ１＝１００、Ｇ１＝１００、Ｂ１＝０であるので白色データ信号と補償データ信号を生成するために要求される最小ＲＧＢソースデータ信号値は青色の０であって、これで白色データ信号とＲＧＢ補償ソースデータ信号はそれぞれＷ１＝０、Ｒ２＝（１００−０）＝１００、Ｇ２＝（１００−０）＝１００、Ｂ２＝（０−０）＝０である。
【０１７２】
第１補償データ信号である黄色（Ｙ）データ信号を生成することにおいて、ＲＧ補償ソースデータ信号（Ｒ２＝１００、Ｇ２＝１００）で最小ＲＧ補償ソースデータ信号値は１００（Ｒ２＝Ｇ２＝１００であるので）である。したがって、第１補償データ信号である黄色（Ｙ）データ信号は１００のデータ値を有する。すなわち、Ｙ１＝１００である。
【０１７３】
次に、第２補償データ信号である青緑色（Ｃ）データ信号を生成するために、ＧＢ補償ソースデータ信号（Ｇ２＝１００、Ｂ２＝０）で最小ＧＢ補償ソースデータ信号値は０（Ｂ２＝０であるので）である。したがって、第２補償データ信号である青緑色（Ｃ）データ信号は０のデータ信号値を有する。すなわち、Ｃ１＝０である。
【０１７４】
次に、第３補償データ信号である赤紫色（Ｍ）データ信号を生成するために、ＢＲ補償ソースデータ信号（Ｂ２＝０、Ｒ２＝１００）で最小ＢＲデータ信号値は０（Ｂ２＝０であるので）である。したがって、第３補償データ信号である赤紫色（Ｍ）データ信号は０のデータ信号値を有する。すなわち、Ｍ１＝０である。
【０１７５】
最後に、ＲＧＢ変換データ信号を求めれば、前述したようにＲＧＢソースデータ信号それぞれはＲ１＝１００、Ｇ１＝１００、Ｂ１＝０である。そして（白色データ信号値＋第１補償データ信号値＋第２補償データ信号値＋第３補償データ信号値）＝（０＋１００＋０＋０）＝１００である。これに各ＲＧＢソースデータ信号から１００を減算すれば、ＲＧＢ変換データ信号はそれぞれＲ３＝０、Ｇ３＝０、Ｂ３＝０に生成される。
【０１７６】
したがって、補償データ生成部１７０を介して出力されるデータ信号は最終的にＲ３＝０、Ｇ３＝０、Ｂ３＝０、Ｗ１＝０、Ｙ１＝１００、Ｃ１＝０、Ｍ１＝０になって図２３の（ｂ）グラフに示したようにサブフレームが構成され、（ａ）グラフと同じ黄（Ｙ）カラーを表示すると同時に混色であるＷ、Ｙ、Ｃ、Ｍカラーを追加してカラーを表現することによってＲＧＢカラーによる色割れ現象が改善される長所と二つ以上の光源の同時点灯による輝度増大の効果がある。
【０１７７】
各サブフレームでは、点灯制御部（図４の１６８）により赤色、緑色、青色の光源が単独でまたは２光源の同時点灯または赤緑青光源の同時点灯を介して該カラー光が出射されるように制御される。図示された間隔ＢＬはバックライト光源の点灯区間である。
（比較例４）
【０１７８】
図２４は、ＦＳＣ方式液晶表示装置を介して赤色を具現することにおいて、（ａ）従来のＦＳＣ方式液晶表示装置におけるＲＧＢソースデータ信号のサブフレーム別透過率と、（ｂ）本発明第２の実施の形態によるＦＳＣ液晶表示装置を介して生成されたＲＧＢ変換データ信号と白色データ信号及び第１ないし第３補償データ信号のサブフレーム別透過率を比較して示した図面である。
【０１７９】
グラフ下段のカラー別数値は最高輝度を示すデータ信号値を１００に設定した場合各サブフレームで入力されるデータ信号が有するデータ信号値である。
【０１８０】
図２４の（ａ）グラフを見れば赤色（Ｒ）カラーを表示するために赤色（Ｒ）、緑色（Ｇ）、青色（Ｂ）ソースデータ信号がそれぞれＲ１＝１００、Ｇ１＝０、Ｂ１＝０で入力されたことを見られる。
【０１８１】
これに、本発明の第２の実施の形態の補償データ生成部（図１５の１７０）を介して同じ赤色（Ｒ）を液晶パネルに表示するための新しいデータ信号（すなわちＲＧＢ変換データ信号と白色データ信号及び第１ないし第３補償データ信号）を生成すれば次のとおりである。
【０１８２】
まず、ＲＧＢソースデータ信号はそれぞれＲ１＝１００、Ｇ１＝０、Ｂ１＝０であるので白色データ信号と補償データ信号を生成するために要求される最小ＲＧＢデータ信号値は緑色または青色の０であって、これで白色データ信号とＲＧＢ補償ソースデータ信号はそれぞれＷ１＝０、Ｒ２＝（１００−０）＝１００、Ｇ２＝（０−０）＝０、Ｂ２＝（０−０）＝０である。
【０１８３】
これに、第１補償データ信号である黄色（Ｙ）データ信号を生成することにおいて、ＲＧ補償ソースデータ信号（Ｒ２＝１００、Ｇ２＝０）で最小ＲＧ補償ソースデータ信号値は０（Ｇ２＝０であるので）である。したがって、第１補償データ信号である黄色（Ｙ）データ信号は０のデータ信号値を有する。すなわち、Ｙ１＝０である。
【０１８４】
次に、第２補償データ信号である青緑色（Ｃ）データ信号を生成することにおいて、ＧＢ補償ソースデータ信号（Ｇ２＝０、Ｂ２＝０）で最小ＧＢ補償ソースデータ信号値は０（Ｇ２＝Ｂ２＝０であるので）である。したがって、第２補償データ信号である青緑色（Ｃ）データ信号は０のデータ信号値を有する。すなわち、Ｃ１＝０である。
【０１８５】
次に、第３補償データ信号である赤紫色（Ｍ）データ信号を生成することにおいて、ＢＲ補償ソースデータ信号（Ｂ２＝０、Ｒ２＝１００）で最小ＢＲ補償ソースデータ信号値は０（Ｂ２＝０であるので）である。したがって、第３補償データ信号である赤紫色（Ｍ）データ信号は０のデータ信号値を有する。すなわち、Ｍ１＝０である。
【０１８６】
最後に、ＲＧＢ変換データ信号を求めれば、前述したようにＲＧＢソースデータ信号それぞれはＲ１＝１００、Ｇ１＝０、Ｂ１＝０である。そして（白色データ信号値＋第１補償データ信号値＋第２補償データ信号値＋第３補償データ信号値）＝（０＋０＋０＋０）＝０である。これに各ＲＧＢソースデータ信号から０を減算すれば、ＲＧＢ変換データ信号はそれぞれＲ３＝１００、Ｇ３＝０、Ｂ３＝０に生成される。
【０１８７】
したがって、補償データ生成部１７０を介して出力されるデータ信号は最終的にＲ３＝１００、Ｇ３＝０、Ｂ３＝０、Ｗ１＝０、Ｙ１＝０、Ｃ１＝０、Ｍ１＝０になって図２４の（ｂ）グラフに示したようにサブフレームが構成され、（ａ）グラフと同じ赤色（Ｒ）を表示すると同時に混色であるＷ、Ｙ、Ｃ、Ｍカラーを追加してカラーを表現することによってＲＧＢカラーによる色割れ現象が改善される長所と二つ以上の光源の同時点灯による輝度増大の効果がある。
【０１８８】
各サブフレームでは点灯制御部（図４の１６８）により赤色、緑色、青色の光源が単独でまたは２光源の同時点灯または赤緑青光源の同時点灯を介して該カラー光が出射されるように制御されることは当然である。図示された間隔ＢＬはバックライト光源の点灯区間である。
【０１８９】
前記のように説明した本発明の第２の実施の形態によるＦＳＣ方式液晶表示装置とその駆動方法を適用する場合、既存のＲＧＢカラーデータ信号だけで混色を表現した方式に比べてさらに多くのカラーを利用するので色割れ現象が減少されることはもちろんのこと、混色表現における歪み現象が改善され、また、純色を表現することにおいても色再現率が低減されない長所がある。さらに、白色（Ｗ）を表示するためのサブフレームをさらに追加して表現するので、全体的に画面の輝度が増加される長所がある。また、前述した第２の実施の形態と共に白色（Ｗ）表示のためのサブフレームでは赤色、緑色、青色光源の同時点灯だけでなく白色光源を別途に追加して白色光源を点灯制御する方法も可能である。
【０１９０】
本発明の実施の形態において、複数のデータ信号の最小値の検出は、比較器を用いて簡単に実行することができ、複数のデータ信号間の減算は、減算結果値に対する情報が貯蔵されたルックアップテーブルを用いたり、輝度と電圧間の関係を示すディガンマ（digamma）を用いたりして実行することができる。
【０１９１】
本発明の実施の形態は、液晶表示装置以外にも、光源を用いてＦＳＣ方式で駆動できるその他の表示装置に適用されることができる。
【図面の簡単な説明】
【０１９２】
【図１】従来のＦＳＣ駆動方式を説明するための図面。
【図２】従来のＦＳＣ液晶表示装置で黄色表示時液晶応答時間による光透過率を示したグラフ。
【図３】本発明の第１の実施の形態によるＦＳＣ方式液晶表示装置を示したブロック図。
【図４】図３のＦＳＣ方式液晶表示装置のバックライトユニットを示したブロック図。
【図５】本発明の第１の実施の形態によるＦＳＣ方式液晶表示装置の駆動方法を説明するための図面。
【図６】本発明の第１の実施の形態によるＦＳＣ方式液晶表示装置の動作を説明するためのフローチャート。
【図７】本発明の第１の実施の形態によるＦＳＣ方式液晶表示装置で第１補償データ信号の生成方法を説明するためのフローチャート。
【図８】本発明の第１の実施の形態によるＦＳＣ方式液晶表示装置で第２補償データ信号の生成方法を説明するためのフローチャート。
【図９】本発明の第１の実施の形態によるＦＳＣ方式液晶表示装置で第３補償データ信号の生成方法を説明するためのフローチャート。
【図１０】本発明の第１の実施の形態によるＦＳＣ方式液晶表示装置でＲＧＢ変換データ信号の生成方法を説明するためのフローチャート。
【図１１】ＦＳＣ方式液晶表示装置を介して任意のカラーを具現する際の第１比較例を示すもので、（ａ）従来技術によるＦＳＣ方式液晶表示装置におけるＲＧＢソースデータ信号のサブフレーム別透過率と、（ｂ）本発明第１の実施の形態によるＦＳＣ方式液晶表示装置を介して生成されたＲＧＢ変換データ信号及び第１ないし第３補償データ信号のサブフレーム別透過率を比較して示した図面。
【図１２】ＦＳＣ方式液晶表示装置を介して任意のカラーを具現する際の第２比較例を示すもので、（ａ）従来技術によるＦＳＣ方式液晶表示装置におけるＲＧＢソースデータ信号のサブフレーム別透過率と、（ｂ）本発明第１の実施の形態によるＦＳＣ方式液晶表示装置を介して生成されたＲＧＢ変換データ信号及び第１ないし第３補償データ信号のサブフレーム別透過率を比較して示した図面。
【図１３】ＦＳＣ方式液晶表示装置を介して任意のカラーを具現する際の第３比較例を示すもので、（ａ）従来技術によるＦＳＣ方式液晶表示装置におけるＲＧＢソースデータ信号のサブフレーム別透過率と、（ｂ）本発明第１の実施の形態によるＦＳＣ方式液晶表示装置を介して生成されたＲＧＢ変換データ信号及び第１ないし第３補償データ信号のサブフレーム別透過率を比較して示した図面。
【図１４】ＦＳＣ方式液晶表示装置を介して任意のカラーを具現する際の第４比較例を示すもので、（ａ）従来技術によるＦＳＣ方式液晶表示装置におけるＲＧＢソースデータ信号のサブフレーム別透過率と、（ｂ）本発明第１の実施の形態によるＦＳＣ方式液晶表示装置を介して生成されたＲＧＢ変換データ信号及び第１ないし第３補償データ信号のサブフレーム別透過率を比較して示した図面。
【図１５】本発明の第２の実施の形態によるＦＳＣ方式液晶表示装置の補償データ生成部を示した図面。
【図１６】本発明の第２の実施の形態によるＦＳＣ方式液晶表示装置の駆動方法を説明するための図面。
【図１７】本発明の第２の実施の形態によるＦＳＣ方式液晶表示装置の動作を説明するためのフローチャート。
【図１８】本発明の第２の実施の形態によるＦＳＣ方式液晶表示装置における第１補償データ信号の生成方法を説明するためのフローチャート。
【図１９】本発明の第２の実施の形態によるＦＳＣ方式液晶表示装置における第２補償データ信号の生成方法を説明するためのフローチャート。
【図２０】本発明の第２の実施の形態によるＦＳＣ方式液晶表示装置における第３補償データ信号の生成方法を説明するためのフローチャート。
【図２１】ＦＳＣ方式液晶表示装置を介して任意のカラーを具現する際の第１比較例を示すもので、（ａ）従来のＦＳＣ方式液晶表示装置におけるＲＧＢソースデータ信号のサブフレーム別透過率と、（ｂ）本発明第２の実施の形態によるＦＳＣ方式液晶表示装置を介して生成されたＲＧＢ変換データ信号と白色データ信号及び第１ないし第３補償データ信号のサブフレーム別透過率を比較して示した図面。
【図２２】ＦＳＣ方式液晶表示装置を介して任意のカラーを具現する際の第２比較例を示すもので、（ａ）従来のＦＳＣ方式液晶表示装置におけるＲＧＢソースデータ信号のサブフレーム別透過率と、（ｂ）本発明第２の実施の形態によるＦＳＣ方式液晶表示装置を介して生成されたＲＧＢ変換データ信号と白色データ信号及び第１ないし第３補償データ信号のサブフレーム別透過率を比較して示した図面。
【図２３】ＦＳＣ方式液晶表示装置を介して任意のカラーを具現する際の第３比較例を示すもので、（ａ）従来のＦＳＣ方式液晶表示装置におけるＲＧＢソースデータ信号のサブフレーム別透過率と、（ｂ）本発明第２の実施の形態によるＦＳＣ方式液晶表示装置を介して生成されたＲＧＢ変換データ信号と白色データ信号及び第１ないし第３補償データ信号のサブフレーム別透過率を比較して示した図面。
【図２４】ＦＳＣ方式液晶表示装置を介して任意のカラーを具現する際の第４比較例を示すもので、（ａ）従来のＦＳＣ方式液晶表示装置におけるＲＧＢソースデータ信号のサブフレーム別透過率と、（ｂ）本発明第２の実施の形態によるＦＳＣ方式液晶表示装置を介して生成されたＲＧＢ変換データ信号と白色データ信号及び第１ないし第３補償データ信号のサブフレーム別透過率を比較して示した図面。
【符号の説明】
【０１９３】
１：外部システム
１００：ＦＳＣ方式液晶表示装置
１１０：補償データ生成部
１２０：タイミング制御部
１３０：スキャン駆動部
１４０：ソース駆動部
１５０：液晶パネル
１６０：バックライトユニット
【図１】
2007279660.tif 000003
【図２】
2007279660.tif 000004
【図３】
2007279660.tif 000005
【図４】
2007279660.tif 000006
【図５】
2007279660.tif 000007
【図６】
2007279660.tif 000008
【図７】
2007279660.tif 000009
【図８】
2007279660.tif 000010
【図９】
2007279660.tif 000011
【図１０】
2007279660.tif 000012
【図１１】
2007279660.tif 000013
【図１２】
2007279660.tif 000014
【図１３】
2007279660.tif 000015
【図１４】
2007279660.tif 000016
【図１５】
2007279660.tif 000017
【図１６】
2007279660.tif 000018
【図１７】
2007279660.tif 000019
【図１８】
2007279660.tif 000020
【図１９】
2007279660.tif 000021
【図２０】
2007279660.tif 000022
【図２１】
2007279660.tif 000023
【図２２】
2007279660.tif 000024
【図２３】
2007279660.tif 000025
【図２４】
2007279660.tif 000026